(57)【要約】【課題】移動型Ｘ線装置において、ＩＰカセッテの扱いに関する人為ミスを低減し、患者の被爆を最低限に抑える技術を提供することを目的とする。【解決手段】移動型Ｘ線装置において、撮影毎に、曝射スイッチの押下前に、撮影に使用するＩＰカセッテの使用状況を判別し、未使用と判別された場合のみ、曝射スイッチの押下を１回受け付け、その他の場合は、曝射スイッチの押下を受け付けないよう、移動型Ｘ線装置を制御する。ＩＰカセッテは、初期化後、１回Ｘ線が照射されるまでの間、未使用と管理する。【選択図】図４
2011250931.tif 000002
【特許請求の範囲】
【請求項１】
被検体にＸ線を照射するＸ線発生手段と、前記Ｘ線発生手段を支持手段を介して支持する本体と、前記本体を走行させる移動手段と、を備える移動型Ｘ線装置であって、
前記Ｘ線発生手段から照射されて前記被検体を透過したＸ線を、潜像として蓄積するイメージングプレートをＸ線検出手段として使用し、
前記本体は、
前記Ｘ線発生手段からのＸ線照射の指示を受け付ける曝射スイッチと、
前記曝射スイッチを介してＸ線照射の指示を受け付けると、前記Ｘ線発生手段にＸ線照射の指示を出す照射制御手段と、
撮影毎に、前記曝射スイッチ押下前に前記撮影に使用するイメージングプレートの使用状態を判別する判別手段と、を備え、
前記照射制御手段は、前記判別手段が前記撮影に使用するイメージングプレートを未使用と判別した場合、前記Ｘ線照射の指示を受け付けること
を特徴とする移動型Ｘ線装置。
【請求項２】
請求項１記載の移動型Ｘ線装置であって、
前記イメージングプレートは、各イメージングプレートを一意に特定する識別情報を備え、
前記本体は、
前記イメージングプレートの識別情報の登録を受け付ける識別情報読取手段と、
前記識別情報に対応づけて前記イメージングプレートの使用状態を管理するプレート管理手段と、をさらに備え、
前記判別手段は、前記プレート管理手段の管理に基づき、前記使用状態を判別すること
を特徴とする移動型Ｘ線装置。
【請求項３】
請求項２記載の移動型Ｘ線装置であって、
前記プレート管理手段は、前記イメージングプレートの初期化後、前記照射制御手段がＸ線照射の指示を出すまでの間、前記イメージングプレートを未使用と管理すること
を特徴とする移動型Ｘ線装置。
【請求項４】
請求項２または３記載の移動型Ｘ線装置であって、
前記プレート管理手段は、撮影毎に前記曝射スイッチ押下前に前記識別情報読取手段で前記識別情報を読み取ったイメージングプレートを、当該撮影に使用するイメージングプレートと管理すること
を特徴とする移動型Ｘ線装置。
【請求項５】
請求項４記載の移動型Ｘ線装置であって、
前記判別手段は、前記プレート管理手段が当該撮影に使用するイメージングプレートと管理するイメージングプレートが使用済みである場合、その旨を操作者に通知する通知手段を備えること
を特徴とする移動型Ｘ線装置。
【請求項６】
請求項１から５いずれか１項記載の移動型Ｘ線装置であって、
前記照射制御手段は、前記曝射スイッチでのＸ線照射指示の受け付けを拒否する受付拒否信号を出力する受付拒否手段、を備え、
前記受付拒否手段は、前記判別手段が、前記イメージングプレートを未使用と判別した場合、前記受付拒否信号の出力を停止すること
を特徴とする移動型Ｘ線装置。
【請求項７】
請求項１から６いずれか１項記載の移動型Ｘ線装置であって、
前記イメージングプレートに蓄積された潜像を画像データとして読み出すとともに、当該イメージングプレートを初期化する画像読取消去手段をさらに備えること
を特徴とする移動型Ｘ線装置。
【発明の詳細な説明】
【技術分野】
【０００１】
本発明は、イメージングプレート（ＩＰ）を用いてＸ線撮影を行う移動型Ｘ線装置に関する。特に、ＩＰカセッテの管理技術に関する。
【背景技術】
【０００２】
医療用Ｘ線画像撮影装置として、移動型Ｘ線装置が知られている。この移動型Ｘ線装置は、移動台車と、移動台車に搭載された本体と、Ｘ線を被検体に照射するＸ線発生部と、Ｘ線発生部を本体から可動自在に支持する支持機構とを有する。Ｘ線画像の撮影には、被検体を透過したＸ線を検出するＸ線検出部を用いる。このＸ線検出部に、例えば、被検体を透過したＸ線を潜像として蓄積するイメージングプレート（ＩＰ）を用いるものがある（例えば、特許文献１参照。）。通常ＩＰは、移動型Ｘ線装置とともに移動して使用するため、ＩＰカセッテと呼ばれるケースに入れて使用される。
【０００３】
ＩＰカセッテに蓄積された潜像は、画像読取消去装置で読み取られ画像化されるとともに、読み取り後に消去される。例えば、特許文献１に開示の技術では、この画像読取消去装置が移動型Ｘ線装置に組み込まれるため、撮影現場で直ちに撮影画像を確認することができ、１枚のＩＰカセッテを繰り返し利用できる。１回の回診で複数回撮影を行う場合であっても、持ち運ぶＩＰカセッテの数を減らすことができる。
【先行技術文献】
【特許文献】
【０００４】
【特許文献１】特開２００７−１５１６０３号公報
【発明の概要】
【発明が解決しようとする課題】
【０００５】
ＩＰ、ＦＰＤ（Ｆｌａｔ  Ｐａｎｅｌ  Ｄｅｔｅｃｔｏｒ）のように、電気信号をデジタル値として画像化する技術の普及により、撮影が簡便になり、１日当りの撮影枚数が増加する傾向にある。しかし、撮影操作自体は簡便になったとしても、単位時間当たりの処理量が増加すると、人為的ミス発生の可能性は高まる。
【０００６】
特に、ＩＰカセッテを上述のように繰り返し利用する場合、人為的ミスの防止は重要である。例えば、潜像読み取り前のＩＰカセッテを用いてＸ線照射を行う、また、同じＩＰカセッテを装着したまま再度Ｘ線照射を行う、といった事態が発生すると、画像が二重撮りされることになり、有用な画像の損失、患者への被曝の増加につながる。
【０００７】
本発明は、上記事情に鑑みてなされたもので、移動型Ｘ線装置において、ＩＰカセッテの扱いに関する人為ミスを低減し、患者の被爆を最低限に抑える技術を提供することを目的とする。
【課題を解決するための手段】
【０００８】
本発明は、撮影毎に、曝射スイッチの押下前に、撮影に使用するＩＰカセッテの使用状況を判別し、未使用と判別された場合のみ、曝射スイッチの押下を１回受け付け、その他の場合は、曝射スイッチの押下を受け付けないよう、移動型Ｘ線装置を制御する。ＩＰカセッテは、初期化後、１回Ｘ線が照射されるまでの間、未使用と管理する。
【０００９】
具体的には、被検体にＸ線を照射するＸ線発生手段と、前記Ｘ線発生手段を支持手段を介して支持する本体と、前記本体を走行させる移動手段と、を備える移動型Ｘ線装置であって、前記Ｘ線発生手段から照射されて前記被検体を透過したＸ線を、潜像として蓄積するイメージングプレートをＸ線検出手段として使用し、前記本体は、前記Ｘ線発生手段からのＸ線照射の指示を受け付ける曝射スイッチと、前記曝射スイッチを介してＸ線照射の指示を受け付けると、前記Ｘ線発生手段にＸ線照射の指示を出す照射制御手段と、撮影毎に、前記曝射スイッチ押下前に前記撮影に使用するイメージングプレートの使用状態を判別する判別手段と、前記曝射スイッチでのＸ線照射指示の受け付けを拒否する受付拒否信号を出力する受付拒否手段と、を備え、前記照射制御手段は、前記判別手段が前記撮影に使用するイメージングプレートを未使用と判別した場合、前記Ｘ線照射の指示を受け付けることを特徴とする移動型Ｘ線装置を提供する。
【発明の効果】
【００１０】
本発明によれば、移動型Ｘ線装置において、ＩＰカセッテの扱いに関する人為ミスを低減し、患者の被爆を最低限に抑えることができる。
【図面の簡単な説明】
【００１１】
【図１】第一の実施形態の移動型Ｘ線装置の外観図である。
【図２】第一の実施形態の制御装置の機能ブロック図である。
【図３】第一の実施形態のコードデータベースを説明するための説明図である。
【図４】第一の実施形態の回診時の処理の流れを説明するための説明図である。
【図５】第二の実施形態のコードデータベースを説明するための説明図である。
【図６】第二の実施形態の回診時の処理の流れを説明するための説明図である。
【発明を実施するための形態】
【００１２】
＜＜第一の実施形態＞＞
以下、本発明を適用する第一の実施形態について説明する。以下、本発明の実施形態を説明するための全図において、同一機能を有するものは同一符号を付し、その繰り返しの説明は省略する。
【００１３】
図１は、本実施形態の移動型Ｘ線装置の概略構成を説明するための全体構成図である。本図に示すように、本実施形態の移動型Ｘ線装置１０は、移動台車１１と、本体１２と、Ｘ線発生部１３と、支持機構１４と、を備える。
【００１４】
撮影時は、被検体９０を挟んでＸ線発生部１３と対向する位置に、被検体９０を通過したＸ線を検出するＸ線検出器が載置される。本実施形態では、Ｘ線検出器として、ＩＰを格納したＩＰカセッテ５０が用いられる。本実施形態では、１回の回診に１枚のＩＰカセッテ５０を繰り返し用いる。
【００１５】
ＩＰカセッテ５０は、輝尽性蛍光体を支持体上に配置したＩＰを格納したもので、例えば、被検体９０が寝台９１上に載置される場合、当該寝台９１上に設置される。ＩＰカセッテ５０に被検体９０を透過したＸ線が照射されると、入射したＸ線量子が上記蛍光体に吸収され、多数の電子に変換される。その一部は、蛍光体中に捕獲電子として保存されて潜像として蓄積される。また、ＩＰカセッテ５０は、バーコードなど、ＩＰカセッテ５０を一意に特定可能な識別情報を備える。
【００１６】
移動台車１１には、移動型Ｘ線装置１０を自在に移動させるため、車輪が１１ａ設けられる。移動型Ｘ線装置１０は、この車輪１１ａを走行用モータあるいは手動で駆動することにより走行する。
【００１７】
Ｘ線発生部１３は、Ｘ線を発生するＸ線管と、Ｘ線の照射範囲を制限するＸ線絞りと、Ｘ線管に高電圧を印加する高電圧発生器と、を備え、本体１２が備える後述する制御装置２７からの指示に従って、Ｘ線を発生させ、被検体９０に照射する。
【００１８】
支持機構１４は、支柱１４ａとアーム１４ｂとを備え、アーム１４ｂの先端に取り付けられるＸ線発生部１３を、本体１２に対して可動自在に支持する。支持機構１４により、幅広い自由度でＸ線発生部１３を被検体９０に対して位置合わせできる。
【００１９】
本体１２は、移動台車１１の上に設置され、移動型Ｘ線装置１０の各部の動作の制御を行うとともに、各種のデータ処理を行うための種々の機構を備える。本実施形態では、本体１２は、操作パネル２１と、コード読取装置２２と、画像読取装置２３と、画像処理装置２４と、表示装置２５と、記憶装置２６と、制御装置２７と、曝射スイッチ２８と、を備える。なお、１２ａは、操作者が移動型Ｘ線装置１０を走行させる際に把持する走行ハンドルである。
【００２０】
操作パネル２１は、操作者からの指示を受け付けるインタフェースで、例えば、本体１２の上面に配置される。本実施形態では、操作パネル２１を介して、患者情報、撮影時のＸ線条件（管電圧、管電流、撮影時間等）等を受け付ける。
【００２１】
曝射スイッチ２８は、Ｘ線照射の指示を受け付けるインタフェースである。
【００２２】
コード読取装置２２は、ＩＰカセッテ５０の識別情報を読み取る。ＩＰカセッテ５０の識別情報がバーコードの場合、バーコードリーダが備えられる。
【００２３】
画像読取装置２３は、ＩＰカセッテ５０に蓄積された潜像を画像データとして変換出力することによりＸ線画像を読み取るとともに、読み取り後、ＩＰカセッテ５０から潜像を消去し、ＩＰカセッテ５０を初期化する。なお、本実施形態では、画像読取装置２３は、画像データの読み取り時にＩＰカセッテ５０の識別情報も同時に読み取る。
【００２４】
ＩＰカセッテ５０からＸ線画像を読み取るため、画像読取装置２３は、レーザ走査部、光電子倍増管、Ａ/Ｄ変喚器を備える。ＩＰカセッテ５０の輝尽性蛍光体に捕獲電子として蓄積された潜像に対し、レーザ走査部でレーザビームを走査する。この走査により、蛍光体はＸ線照射量に応じて輝尽発光し、潜像が光量子に変換される。変換された光量子は、光電子増倍管でアナログ電気信号に変換され、さらに、Ａ／Ｄ変換器でデジタル信号に変換され、画像データとなる。得られた画像データは、画像処理装置２４に出力される。
【００２５】
また、ＩＰカセッテ５０を初期化するため、画像読取装置２３は、消去光照射部をさらに備える。画像読取装置２３は、画像読み取りが終了したＩＰカセッテ５０に消去光照射部から消去光を照射し、画像読み取り後のＩＰカセッテ５０に残留するＸ線エネルギーを消去する。この消去光を用いた残留Ｘ線エネルギーの消去により、ＩＰカセッテ５０を繰り返し利用することが可能になる。
【００２６】
本実施形態では、画像読取装置２３にＩＰカセッテ５０がセットされ、画像読取の指示を受け付けると、画像読取装置２３は、上記処理を行い、画像データを画像処理装置２４に出力する。また、画像消去の指示を受け付けると、画像読取装置２３は、ＩＰカセッテ５０を初期化する。そして、画像読取装置２３は、ＩＰカセッテ５０の初期化後、制御装置２７が備える後述のカセッテ管理部に、初期化したＩＰカセッテ５０の識別情報を通知する。また、画像読取装置２３は、ＩＰカセッテ５０の初期化後、操作者に対し初期化完了を意味する通知を行うよう構成してもよい。通知は、例えば、ランプの点灯、消灯、点滅、メッセージ表示などで行う。
【００２７】
画像処理装置２４は、画像読取装置２３で読み取られた画像データに所定の演算処理を施し、表示装置２５に表示する表示画像を生成する。所定の演算処理として、例えば、ＥＤＲ処理やダイナミックレンジ圧縮処理、周波数強調処理などを行う。生成された表示画像は、表示装置２５に表示されるとともに、記憶装置２６に記憶される。表示画像を記憶装置２６に記憶する際は、患者情報に対応づけて記憶するよう構成してもよい。患者情報を管理するために記憶装置に設けられる患者情報管理部に、複数の患者情報が管理されている場合、直近に登録された患者情報に対応づけて記憶する。
【００２８】
表示装置２５は、生成した画像、操作者への通知などを表示するインタフェースである。表示装置２５として、例えば、液晶ディスプレイが用いられる。また、記憶装置２６は、移動型Ｘ線装置１０を動作させるために必要な各種のデータおよび制御装置２７の処理により生成される各種のデータが記憶される。例えば、生成された表示画像に他に、操作パネルで受け付けた各種の情報などが保持される。
【００２９】
制御装置２７は、移動型Ｘ線装置１０の各部の動作を制御し、撮影を実行する。本実施形態では、撮影に使用するＩＰカセッテ５０の使用状況を、撮影毎に曝射スイッチ２８の押下前に判別し、未使用である場合のみ曝射スイッチ２８の押下を１回受け付ける。
【００３０】
これを実現するため、本実施形態の制御装置２７は、図２に示すように、曝射スイッチ２８を介してＸ線照射の指示を受け付けると、Ｘ線発生部１３へＸ線照射の指示を出す照射制御部３１と、ＩＰカセッテ５０の使用状況を管理するカセッテ管理部３２と、撮影に使用するＩＰカセッテ５０の使用状況を判別する使用状況判別部３３と、ＩＰカセッテ５０の使用状況に応じて曝射スイッチ２８におけるＸ線照射の指示の受け付けを拒否する受付拒否部３４と、を備える。
【００３１】
なお、制御装置２７は、ＣＰＵとメモリと記憶部とを備え、上記各機能は、予め記憶部に格納されたプログラムをＣＰＵがメモリにロードして実行することにより実現される。なお、制御装置２７の記憶部は本体１２の記憶装置２６が兼用してもよい。以下、各部を説明する。
【００３２】
カセッテ管理部３２は、ＩＰカセッテ５０の使用状況を、コードデータベース(コードＤＢ）３５を用いて管理する。図３に示すように、コードＤＢ３５には、ＩＰカセッテ５０の識別情報３５ａと、使用状況を示すフラグ３５ｂとが記憶される。本実施形態では、使用状況を示すフラグ３５ｂとして、ＩＰカセッテ５０が使用済みの場合に使用済みフラグ３５ｂを付す。なお、ＩＰカセッテ５０が未使用の場合、使用済みフラグ３５ｂは付されない。コードＤＢ３５は、制御装置２７の記憶部に保持される。
【００３３】
撮影に使用するＩＰカセッテ５０の識別情報は、回診の最初にコードＤＢ３５に登録される。これを初期識別情報登録と呼ぶ。この時点では、使用済みフラグ３５ｂは付されない。その後、カセッテ管理部３２は、１回Ｘ線が照射されると、ＩＰカセッテ５０の使用状況を使用済みとする。本処理は、照射制御部３１からＸ線照射の指示を出力した旨の通知を受け付けると、コードＤＢ３５に使用済みフラグ３５ｂを付すことにより行う。一方、カセッテ管理部３２は、ＩＰカセッテ５０が画像読取装置２３で初期化されると、ＩＰカセッテ５０の使用状況を未使用とする。本処理は、画像読取装置２３から初期化済みの通知を受け付けると、コードＤＢ３５の使用済みフラグを削除することにより行う。
【００３４】
使用状況判別部３３は、各撮影時に、当該撮影に使用するＩＰカセッテ５０の使用状況を判別する。本実施形態では、Ｘ線照射の前、すなわち、曝射スイッチ２８の押下前に当該撮影に使用するＩＰカセッテ５０の識別情報を読み取る。そして、識別情報の読み取りを契機に、当該ＩＰカセッテ５０の使用状況を判別する。ここでは、コード読取装置２２を介してＩＰカセッテ５０の識別情報が読み込まれると、使用状況判別部３３は、カセッテ管理部３２が管理するコードＤＢ３５を参照し、使用済みフラグ３５ｂの有無により、ＩＰカセッテ５０の使用状況を判別する。
【００３５】
使用状況判別部３３は、判別結果が未使用である場合、受付拒否部３４に通知する。一方、使用済みである場合、その旨、操作者に通知する。通知は、例えば、ランプの点灯、消灯、点滅、メッセージの表示等で行う。
【００３６】
受付拒否部３４は、照射制御部３１に対し、受付拒否信号を出力する。ただし、使用状況判別部３３から撮影に使用されるＩＰカセッテ５０が未使用との通知を受けた場合、所定の期間、受付拒否信号の出力を停止する。本実施形態では、受付拒否部３４は、受付拒否信号の出力を停止後、１回Ｘ線が照射されるまでの期間受け付け拒否信号の出力を停止し、Ｘ線が照射されると、受付拒否信号の出力を再開する。Ｘ線照射の有無は、照射制御部３１から受信する。
【００３７】
なお、受付拒否部３４は、受付拒否信号の出力停止時、その旨操作者に通知するよう構成してもよい。通知は、例えば、ランプの点灯、消灯、点滅、メッセージ表示等で行う。
【００３８】
本実施形態の照射制御部３１は、曝射スイッチ２８を介してＸ線照射の指示を受け付けると、操作パネル２１を介して受け付けたＸ線条件に従ってＸ線発生部１３からＸ線を照射するよう制御する。ただし、受付拒否部３４から受付拒否信号を受信している間は、Ｘ線照射の指示の受け付けを拒否する。また、照射制御部３１は、Ｘ線発生部１３にＸ線照射の指示を送出した場合、その旨、受付拒否部３４に通知する。
【００３９】
照射制御部３１による上記制御により、本実施形態では、受付拒否部３４から受付拒否信号が出力されている間は、曝射スイッチ２８が押下され、Ｘ線照射が指示された場合であっても、Ｘ線は照射されない。なお、本実施形態の制御装置２７は、受付拒否部３４から受付拒否信号出力中に曝射スイッチ２８が押下された場合、その旨、操作者に通知するよう構成されてもよい。通知は、例えば、ランプの点灯、消灯、点滅、受付拒否を意味するメッセージの表示等で行う。
【００４０】
以下、本実施形態の移動型Ｘ線装置１０による回診時の処理の流れを説明し、この中で、各部の動作の詳細を説明する。図４は、本実施形態の移動型Ｘ線装置１０による回診時の処理の流れを説明するための説明図である。上述のように、本実施形態では、１回の回診で１枚のＩＰカセッテ５０を用いる。また、保管庫に保管されるＩＰカセッテ５０は、初期化済みであるものとする。
【００４１】
まず、保管庫から当該回診で使用するＩＰカセッテ５０を取り出し、コードＤＢ３５に識別情報を登録する(初期識別情報登録）（ステップＳ１１０１）。操作者は、使用するＩＰカセッテ５０の識別情報をコード読取装置２２で読み取らせる。カセッテ管理部３２は、コード読取装置２２を介して読み取った識別情報を、コードＤＢ３５に登録する。
【００４２】
操作者は、移動型Ｘ線装置１０を撮影対象の患者（被検体９０）のいる病室等の撮影場所に移動する(ステップＳ１１０２）。
【００４３】
そして、操作者は、操作パネル２１を介して、被検体９０の患者情報、Ｘ線条件を登録する(ステップＳ１１０３）。登録する患者情報は、例えば、患者を識別する患者識別情報、撮影対象部位、などである。制御装置２７は、受け付けた患者情報を、例えば、記憶装置２６に生成される患者情報管理部に記憶する。
【００４４】
次に、ＩＰカセッテ５０の使用状況を判別する。操作者は、ＩＰカセッテ５０の識別情報をコード読取装置２２で読み取らせる（ステップＳ１１０４）。使用状況判別部３３は、コード読取装置２２を介して登録された識別情報を取得する。
【００４５】
そして、使用状況判別部３３は、ＩＰカセッテ５０が使用済みであるか否かを判別する（ステップＳ１１０５）。上述のように、使用状況判別部３３は、コードＤＢ３５を参照し、使用済みフラグ３５ｂが付されているか否かにより判別する。付されている場合、使用済みと、付されていない場合は、未使用とそれぞれ判別する。
【００４６】
使用済みと判別された場合、使用状況判別部３３は、その旨、操作者に通知する（ステップＳ１１０６）。操作者はその通知により、ＩＰカセッテ５０が使用済みであることを認識する。
【００４７】
そして、操作者は、ＩＰカセッテ５０から画像を読み出すとともに初期化するため、画像読取装置２３に当該ＩＰカセッテ５０をセットし、読出および初期化を指示する（ステップＳ１１０７）。画像読取装置２３は、セットされたＩＰカセッテ５０から識別情報および画像データを読み出し後、当該ＩＰカセッテ５０を初期化し、読み出した識別情報をカセッテ管理部３２に通知する。カセッテ管理部３２は、画像読取装置２３からの通知を受け、コードＤＢ３５内の使用済みフラグ３５ｂを削除する。初期化が完了すると、操作者は、ステップＳ１１０４へ戻り、再度当該ＩＰカセッテ５０のコードを読み取らせる。
【００４８】
一方、ステップＳ１１０５で未使用と判別された場合、使用状況判別部３３は、その旨、受付拒否部３４に通知する。通知を受けた受付拒否部３４は、受付拒否信号の出力を停止する（ステップＳ１１０８）。
【００４９】
次に、操作者は、ＩＰカセッテ５０を、Ｘ線発生部１３に対向した位置に配置し、Ｘ線発生部１３を被検体９０の撮影対象部位に向ける等の位置決めを行う（ステップＳ１１０９）。
【００５０】
そして、操作者は、曝射スイッチ２８を押下し、Ｘ線照射の指示を出す（ステップＳ１１１０）。ここでは、受付拒否信号が出力されていないため、照射制御部３１は、曝射スイッチ２８の押下を受け付け、先に受け付けたＸ線条件でＸ線を照射するようＸ線発生部１３へ指示を出す（ステップＳ１１１１）。指示を受け、Ｘ線発生部１３は、Ｘ線を照射する。このとき、照射制御部３１はＸ線発生部１３に照射の指示を出力したことをカセッテ管理部３２および受付拒否部３４に通知する。カセッテ管理部３２は、照射制御部３１からの指示を受け、コードＤＢ３５に使用済みフラグ３５ｂを付す。また、受付拒否部３４は、受付拒否信号の出力を再開する（ステップＳ１１１２）。
【００５１】
撮影を終えると、操作者は、ＩＰカセッテ５０から画像を読み出すとともに初期化するため、画像読取装置２３に当該ＩＰカセッテ５０をセットする（ステップＳ１１１３）。画像読取装置２３は、セットされたＩＰカセッテ５０から識別情報および画像データを読み出し後、当該ＩＰカセッテ５０を初期化するとともに、読み出した識別情報をカセッテ管理部３２に通知する。カセッテ管理部３２は、画像読取装置２３からの通知を受け、コードＤＢ３５内の使用済みフラグ３５ｂを削除する。
【００５２】
操作者は、回診時に予定している全撮影を終えたか否かを判別する（ステップＳ１１１４）。全撮影を終えている場合、回診を終了する。一方、終えていない場合、ステップＳ１１０２へ移行し、次の撮影対象の患者のいる場所へ移動する。このとき、同じ被検体９０の別部位を撮影する場合、移動無しに、ステップＳ１１０３へ移行し、操作者は、撮影部位およびＸ線条件のみ再登録する。
【００５３】
以上説明したように、本実施形態の移動型Ｘ線装置１０は、カセッテ管理部３２、使用状況判別部３３および受付拒否部３４を備え、使用するＩＰカセッテ５０が未使用（初期化済み）の状態である場合で、かつ、１回Ｘ線が照射されるまでの間のみ、曝射スイッチ２８によるＸ線照射の指示を受け付ける。
【００５４】
すなわち、本実施形態の移動型Ｘ線装置１０は、使用状況判別部３３が、撮影毎に曝射スイッチ２８の押下前に使用するＩＰカセッテの使用状況を判別する。従って、本実施形態の移動型Ｘ線装置１０では、ＩＰカセッテ５０に画像データが残っている状態では、曝射スイッチ２８によるＸ線照射の指示を受け付けない。従って、使用済みのＩＰカセッテへのＸ線の２重照射を防ぐことができる。
【００５５】
さらに、本実施形態の移動型Ｘ線装置１０は、カセッテ管理部３２が、１回Ｘ線照射がなされると、初期化されるまで、当該ＩＰカセッテ５０を使用済みと管理する。従って、本実施形態の移動型Ｘ線装置１０では、１回Ｘ線照射がなされると、初期化済みのＩＰカセッテ５０の識別情報が読み込まれない限り、曝射スイッチ２８によるＸ線照射の指示を受け付けない。従って、曝射スイッチ２８の２回押しによる２重照射を防ぐことができる。
【００５６】
以上説明したように、本実施形態によれば、使用済みのＩＰカセッテ５０へのＸ線の２重照射および曝射スイッチ２８の２回押しによる２重照射を、操作者の新たな負担無しに、防ぐことができる。従って、ＩＰカセッテ５０を用いて移動型Ｘ線装置により撮影を行う場合、ＩＰカセッテの扱いに関する人為ミスを低減することができ、患者の被爆を最低限に抑えることができる。
【００５７】
＜＜第二の実施形態＞＞
次に、本発明を適用する第二の実施形態について説明する。第一の実施形態では、１回の回診において１つのＩＰカセッテ５０を使用する。しかし、本実施形態では、複数のＩＰカセッテ５０を使用する。本実施形態の移動型Ｘ線装置１０の基本的な構成は、図１および図２に示す第一の実施形態の構成と同様である。以下、第一の実施形態と異なる構成に主眼をおいて、本実施形態を説明する。
【００５８】
本実施形態では、複数のＩＰカセッテ５０を使用する。従って、本実施形態のカセッテ管理部３２は、コードＤＢ３５の代わりに、コードデータベース（コードＤＢ）３６を用い、各ＩＰカセッテ５０の使用状況をＩＰカセッテ５０毎に管理する。図５に示すように、コードＤＢ３６は、回診に使用する予定の全ＩＰカセッテ５０の識別情報３６ａと、ＩＰカセッテ５０毎の使用状況を示すフラグ３６ｂと、実行しようとする撮影で使用するＩＰカセッテ５０であるか否かを示すフラグ３６ｃとが記憶される。コードＤＢ３６は、制御装置２７の記憶部に保持される。
【００５９】
本実施形態においても、第一の実施形態同様、使用状況を示すフラグ３６ｂとして、使用済みフラグ３６ｂを用いる。すなわち、使用済みのＩＰカセッテ５０には、当該ＩＰカセッテ５０の識別情報３６ａに使用済みフラグ３６ｂを付す。また、実行しようとする撮影で使用するＩＰカセッテ５０であるか否かを示すフラグ３６ｃとして、使用予定フラグ３６ｃを用いる。すなわち、当該撮影で使用するＩＰカセッテ５０には、当該ＩＰカセッテ５０の識別情報３６ａに使用予定フラグ３６ｃを付す。使用予定フラグ３６ｃが付されているＩＰカセッテ５０が、用意した複数のＩＰカセッテ５０の中で、その撮影に使用される。
【００６０】
カセッテ管理部３２は、撮影時に、曝射スイッチ２８押下前にコード読取装置２２で識別情報が読み取られると、その識別情報を有するＩＰカセッテ５０を撮影に使用するＩＰカセッテ５０として管理する。従って、このとき、コードＤＢ３６の、既に付されている使用予定フラグ３６ｃを全て削除し、読み取られた識別情報３６ａに使用予定フラグ３６ｃを付す。
【００６１】
また、本実施形態のカセッテ管理部３２は、Ｘ線が１回照射されると、使用予定フラグ３６ｃが付されている識別情報３６ａに、使用済みフラグ３６ｂを付す。
【００６２】
本実施形態の使用状況判別部３３は、第一の実施形態同様、各撮影時に、当該撮影に使用するＩＰカセッテ５０の使用状況を判別する。本実施形態では、コード読取装置２２を介して撮影に使用するＩＰカセッテ５０の識別情報が読み込まれると、使用状況判別部３３は、カセッテ管理部３２が管理するコードＤＢ３６の、当該読み込まれた識別情報３６ａに対応付けて使用済みフラグ３６ｂが付されているか否かを判別する。
【００６３】
以下、本実施形態の移動型Ｘ線装置１０による回診時の処理の流れを説明し、この中で、各部の動作の詳細を説明する。図６は、本実施形態の移動型Ｘ線装置１０による回診時の処理の流れを説明するための説明図である。ＩＰカセッテ５０は、保管庫に保管されるＩＰカセッテ５０は、初期化済みであるものとする。
【００６４】
まず、保管庫から当該回診で使用する複数のＩＰカセッテ５０を取り出し、それぞれの識別情報をコードＤＢ３６に登録する(初期識別情報登録）（ステップＳ１２０１）。操作者は、使用するＩＰカセッテ５０の識別情報をコード読取装置２２で読み取らせる。カセッテ管理部３２は、コード読取装置２２を介して読み取った、各ＩＰカセッテ５０の識別情報を、それぞれコードＤＢ３６に登録する。このとき、使用済みフラグ３６ｂおよび使用予定フラグ３６ｃは付さない。
【００６５】
操作者は、移動型Ｘ線装置１０を撮影対象の患者（被検体９０）のいる病室等の撮影場所に移動する(ステップＳ１２０２）。
【００６６】
そして、操作者は、第一の実施形態同様、操作パネル２１を介して、被検体９０の患者情報、Ｘ線条件を登録する(ステップＳ１２０３）。制御装置２７は、第一の実施形態同様、受け付けた患者情報を、例えば、記憶装置２６に生成される患者情報管理部に記憶する。
【００６７】
次に、ＩＰカセッテ５０の使用状況を判別する。操作者は、撮影に使用するＩＰカセッテ（使用ＩＰカセッテ）５０の識別情報をコード読取装置２２で読み取らせる（ステップＳ１２０４）。使用状況判別部３３は、コード読取装置２２を介して登録された識別情報を取得する。また、本実施形態では、カセッテ管理部３２も識別情報を取得し、コードＤＢ３６の当該識別情報３６ａに使用予定フラグ３６ｃを付す。
【００６８】
そして、使用状況判別部３３は、使用ＩＰカセッテ５０が使用済みであるか否かを判別する（ステップＳ１２０５）。ここでは、使用状況判別部３３は、コードＤＢ３６を参照し、ステップＳ１２０４で取得した識別情報３６ａに使用済みフラグ３６ｂが付されているか否かを判別する。付されている場合、使用済みと、付されていない場合は、未使用と、それぞれ判別する。
【００６９】
使用済みと判別された場合、使用状況判別部３３は、その旨、操作者に通知する（ステップＳ１２０６）。操作者はその通知により、使用ＩＰカセッテ５０が使用済みであることを認識する。
【００７０】
操作者は、第一の実施形態同様の手順で初期化処理を行うか、または、他のＩＰカセッテ５０に取り替える（ステップＳ１２０７）。初期化処理が行われる場合、カセッテ管理部３２は、画像読取装置２３からの通知を受け、コードＤＢ３６内の当該識別情報３６ａに付される使用済みフラグ３６ｃを削除する。初期化完了を受け、操作者は、ステップＳ１２０４へ戻り、初期化後のＩＰカセッテ５０を使用ＩＰカセッテ５０とし、その識別情報を読み取らせる。一方、他のＩＰカセッテ５０に取り替える場合は、ステップＳ１２０４へ戻り、取り替え後のＩＰカセッテ５０を使用ＩＰカセッテ５０とし、その識別情報を読み取らせる。
【００７１】
ステップＳ１１０５で未使用と判別された場合、使用状況判別部３３は、その旨、受付拒否部３４に通知する。通知を受けた受付拒否部３４は、受付拒否信号の出力を停止する（ステップＳ１２０８）。
【００７２】
次に、操作者は、使用ＩＰカセッテ５０を、Ｘ線発生部１３に対向した位置に配置し、Ｘ線発生部１３を被検体９０の撮影対象部位に向ける等の位置決めを行う（ステップＳ１２０９）。
【００７３】
そして、操作者は、曝射スイッチ２８を押下し、Ｘ線照射の指示を出す（ステップＳ１２１０）。ここでは、受付拒否信号が出力されていないため、照射制御部３１は、曝射スイッチ２８の押下を受け付け、先に受け付けたＸ線条件でＸ線を照射するようＸ線発生部１３へ指示を出す（ステップＳ１２１１）。指示を受け、Ｘ線発生部１３は、Ｘ線を照射する。また、このとき、照射制御部３１はＸ線発生部１３に照射の指示を出力したことをカセッテ管理部３２および受付拒否部３４に通知する。カセッテ管理部３２は、照射制御部３１からの指示を受け、コードＤＢ３６に登録されている識別情報３６ａの中の使用予定フラグ３６ｃが付されている識別情報３６ａに使用済みフラグ３６ｂを付す。また、受付拒否部３４は、受付拒否信号の出力を再開する（ステップＳ１２１２）。
【００７４】
撮影を終えると、操作者は、ＩＰカセッテ５０から画像を読み出すとともに初期化するため、画像読取装置２３に当該ＩＰカセッテ５０をセットする（ステップＳ１２１２）。画像読取装置２３は、セットされたＩＰカセッテ５０から識別情報および画像データを読み出し後、当該ＩＰカセッテ５０を初期化するとともに、読み出した識別情報をカセッテ管理部３２に通知する。カセッテ管理部は、画像読取装置２３からの通知を受け、コードＤＢ３６内の当該識別情報３６ａに付されている使用済みフラグ３６ｂを削除する。
【００７５】
操作者は、回診時に予定している全撮影を終えたか否かを判別する（ステップＳ１２１４）。全撮影を終えている場合、回診を終了する。一方、終えていない場合、ステップＳ１２０２へ移行し、次の撮影対象の患者のいる場所へ移動する。このとき、同じ被検体９０の別部位を撮影する場合、移動無しに、ステップＳ１２０３の患者情報の登録へ移行し、撮影部位のみ再登録する。
【００７６】
以上説明したように、本実施形態によれば、１回の回診時に複数のＩＰカセッテ５０を用いる場合であっても、第一の実施形態同様、使用済みのＩＰカセッテへのＸ線の２重照射および曝射スイッチ２８の２回押しによる２重照射を、操作者の新たな負担無しに、防ぐことができる。従って、ＩＰカセッテを用いて移動型Ｘ線装置により撮影を行う場合、ＩＰカセッテの扱いに関する人為ミスを低減することができ、患者の被爆を最低限に抑えることができる。
【００７７】
なお、本実施形態では、複数のＩＰカセッテ５０を用いるため、ステップＳ１２０４、Ｓ１２０５の使用状況の判別において、未使用とされた場合、カセッテ管理部３２は、読み取った識別情報を、患者情報ＤＢの最新の患者情報に対応付けて記憶するよう構成してもよい。このように構成することにより、複数のＩＰカセッテ５０から画像データを読み出した場合であっても、それぞれ、いずれの患者の、いずれの部位の画像かを特定できる。従って、撮影毎にＩＰカセッテ５０から画像データを読み出す必要がなく、ステップＳ１２１３の処理は、毎回行わなくてもよい。
【００７８】
なお、この場合、画像読取装置２３は、ＩＰカセッテ５０から画像データを読み出す際に共に読み出す識別情報を、画像データとともに画像処理装置２４に受け渡す。画像処理装置２４は、表示画像生成後、当該識別情報に合致する識別情報に対応づけて保持される患者情報、撮影部位に、生成した表示画像を対応づけて表示および記憶する。
【００７９】
このように構成することで、例えば、一人の患者の複数の部位を撮影する場合、また、同じ病室内の複数の患者の撮影を行う場合など、撮影毎に読み取り、初期化を行うことなく、ＩＰカセッテ５０を取り替えて、連続して撮影を行うことができる。従って、効率的に回診を行うことができる。
【００８０】
また、上記各実施形態では、通常は受付拒否部３４が受付拒否信号を出力し、曝射スイッチ２８の押下を許可する期間（ステップＳ１１０８〜Ｓ１１１２、ステップＳ１２０８〜Ｓ１２１２）のみ、当該受付拒否信号の出力を停止するよう構成しているが、これに限られない。逆に、受付拒否部３４は、通常は何も信号を出力せず、曝射スイッチ２８の押下を許可する期間のみ、受付許可信号を出力し、受付を許可するよう構成してもよい。
【００８１】
さらに、上記各実施形態では、上記期間（ステップＳ１１０８〜Ｓ１１１２、ステップＳ１２０８〜Ｓ１２１２）以外、曝射スイッチ２８の押下の受け付けを拒否することによりＸ線照射を制御しているが、これに限られない。例えば、上記期間のみＸ線照射を許可する信号、または、上記期間以外のみ、Ｘ線照射を制限する信号を、照射制御部３１に出力し、Ｘ線の照射そのものを制限するよう構成してもよい。
【００８２】
また、上記各実施形態では、移動型Ｘ線装置１０の本体に画像読取装置２３および画像処理装置２４を備える場合を例にあげて説明したが、これらは、本体１２に備えなくてもよい。移動型Ｘ線装置１０と、患者情報等を送受信するインタフェースを備える、独立した情報処理装置に設けられていてもよい。
【符号の説明】
【００８３】
１０：移動型Ｘ線装置、１１：移動台車、１１ａ：車輪、１２：本体、１３：Ｘ線発生部、１４：支持機構、１４ａ：支柱、１４ｂ：アーム、２１：操作パネル、２２：コード読取装置、２３：画像読取装置、２４：画像処理装置、２５：表示装置、２６：記憶装置、２７：制御装置、２８：曝射スイッチ、３１：照射制御部、３２：カセッテ管理部、３３：使用状況判別部、３４：受付拒否部、３５：コードＤＢ、３５ａ：識別情報、３５ｂ：使用済みフラグ、３６：コードＤＢ、３６ａ：識別情報、３６ｂ：使用済みフラグ、３６ｃ：使用予定フラグ、５０：ＩＰカセッテ、９０：被検体、９１：寝台
【図１】
2011250931.tif 000003
【図２】
2011250931.tif 000004
【図３】
2011250931.tif 000005
【図４】
2011250931.tif 000006
【図５】
2011250931.tif 000007
【図６】
2011250931.tif 000008